(57)【要約】【課題】本発明は、設置コストおよび設置時間を低下させ、かつメンテナンスの手間を可能な限り少なくした表示施設照明灯を提供することを、課題とする。【解決手段】本発明の課題は、照明源として超高輝度白色発光ダイオードを備えると共に、この超高輝度白色発光ダイオードの電源としてバッテリーを備えることを特徴とするバッテリー式表示施設照明灯によって解決される。【選択図】  図１
2005011636.tif 000002
【特許請求の範囲】
【請求項１】
照明源として超高輝度白色発光ダイオードを備えると共に、この超高輝度白色発光ダイオードの電源としてバッテリーを備えることを特徴とするバッテリー式表示施設照明灯。
【請求項２】
さらに、昼夜センサーを備える請求項１記載のバッテリー式表示施設照明灯。
【発明の詳細な説明】
【０００１】
【発明の属する技術分野】
本発明は、バッテリー式表示施設照明灯に関する。
【０００２】
【従来の技術】
従来から、表示施設照明灯として、蛍光灯が採用されていた。この蛍光灯による表示施設照明灯は、夜間においても、通行者などが掲示板の表示内容を容易に判読できるようにして、工事に対する理解と協力を得ると共に、円滑な交通の確保を図ることを目的としている。
【０００３】
しかしながら、表示施設照明灯として蛍光灯を設置する際に、所定の電源を得るには、電気工事が必要であるため、初期の設置コストが大きく、設置するに要する時間が長くなる。特に、電源ケーブルの地中線化に伴い、かかる設置コストおよび設置時間が増大し、問題となっている。さらに、蛍光灯の寿命は、白熱灯に比べれば長いものの、永久的ではないため、所定の期間経過後に蛍光灯を取り替える必要があり、メンテナンスの点でより改善されることが望まれている。
【０００４】
【発明が解決しようとする課題】
そこで、本発明の課題は、上記問題点に鑑み、設置コストおよび設置時間を低下させ、かつメンテナンスの手間を可能な限り少なくした表示施設照明灯を提供することである。
【０００５】
【課題を解決するための手段】
本発明によれば、前記課題を解決すべく、鋭意検討した結果、従来技術の蛍光灯に代えて、超高輝度白色発光ダイオードを用い、この超高輝度白色ダイオードと、バッテリーとを組み合わせることにより、前記課題を解決できることを見出し、この知見に基づき、本願発明を完成するに至ったのである。
【０００６】
すなわち、本発明は、バッテリー式表示施設照明灯を提供する。本発明は、照明源として超高輝度白色発光ダイオードを備えると共に、この超高輝度白色発光ダイオードの電源としてバッテリーを備えることを特徴とする。
【０００７】
本発明によれば、前記要件、特に照明源として超高輝度白色発光ダイオードを用いることにより、ほぼ半永久的な寿命が得られ、その結果、メンテナンスが大幅に簡略化されるという、技術的効果が得られる。また、コンデンサーは、一般にコンパクトで可搬式の電源であるため、このコンデンサーの使用を本発明の必須要件とすることにより、電源確保のための電気工事が不要となり、その結果、設置コストおよび設置時間を大幅に低下できるという、技術的効果を奏することができる。
【０００８】
本発明の好ましい態様によれば、本発明のバッテリー式表示施設照明灯は、さらに、昼夜センサーを備えることができる。
【０００９】
【発明の実施の形態】
本発明のバッテリー式表示施設照明灯の好適な実施形態によれば、超高輝度白色発光ダイオード（ＬＥＤ）透明部分（２）を有するＬＥＤ照明器具（１）と、このＬＥＤ照明器具（１）に二芯ケーブル（３）を介して電気接続するバッテリー／電子基板用のボックス（４）と、このボックス（４）に二芯ケーブル（７）を介して電気接続する昼夜センサー（８）とを備えている。
【００１０】
超高輝度白色発光ダイオード（ＬＥＤ）照明器具
ＬＥＤ照明器具は、図１に示すように、内部にＬＥＤを有し、このＬＥＤに対応するＬＥＤ透明部分を有する。このＬＥＤ透明部分は、光透過性であれば、プラスチックなどのいずれの材料であってもよい。
本発明に用いられるＬＥＤは、好ましくは少なくとも蛍光灯２０  Ｗ相当の明るさが得られるように、点光源として用いられる。例えば、商品名ＳＧ−５０ＴＷ３４−Ａ（製造会社：ルミセミコンダクター）（ＤＣ電圧：４  Ｖ、ＤＣ電流：２０  ｍＡ、光度：６，５００  ｍｃｄ）を、数個〜３０個、好ましくは１８個用い、より好ましくは、ＬＥＤ取付ピッチとして、センター振分３０  ｍｍ×１８個で用いる。なお、本発明の好ましいバッテリー式表示施設照明灯は、下方向の照射が得られるような構造を有しており、これにより、対向車、対歩行者、対民家などからの「まぶしい」という苦情を解消することができる。
【００１１】
バッテリー／電子基板用ボックス
本発明に使用されるバッテリー／電子基板用ボックス（４）は、バッテリー（５）および電子基板（６）を備える。バッテリーは、ＬＥＤの電源用として用いられ、例えば、市販の照明器具用バッテリーＰＸＬ１２０７２Ｆ１ＶＯ（日本電池）を挙げることができる。この市販品は、コンパクトであるので（寸法：Ｌ  １５１  ｍｍ、Ｗ  ６５  ｍｍ、Ｈ  ９４  ｍｍ）、本発明にとって特に好ましい。また、この市販品は、１回のフル充電で、約１月使用することができる。このため、一般に、表示施設照明灯を設置する場合にこのような表示施設照明灯と共に使用が義務づけられている蓄電式の赤色警戒灯の電池交換時期（季節によって変化するが、約２０日間）に、上記バッテリー市販品の充電時期を合わせることができ、メンテナンスのより一層の省力化を図ることができる。
ボックス（４）に収納した電子基板（６）は、昼夜センサー（８）の制御を行い、これにより、照明が必要な夜間にだけ、ＬＥＤ照明器具は、作動し、これにより電力の省力化を図ることができる。昼夜センサーは、光に反応するセンサーであれば、いずれのものであってもよい。
なお、バッテリー用充電器として、オートクラフト製ＨＣ１２−１．０Ｃ（日本電池）を使用することができる。
【００１２】
本発明のバッテリー式表示施設照明灯を製造するには、常法に従い、例えば、ＬＥＤ透明部分に所定の個数の超高輝度白色ダイオードを等間隔で配置してＬＥＤ照明器具を作製し、これを、工事掲示板（図２、参照）の表側の上部に設置する。次いで、バッテリーおよび電子基板を備えたバッテリー／電子基板用ボックスを工事掲示板の裏側下部に設置し、また昼夜センサーをバッテリー／電子基板用ボックスの上方に設置する。これらＬＥＤ照明器具と、バッテリー／電子基板用ボックスとの間並びにバッテリー／電子基板用ボックスと昼夜センサーとの間を、二芯ケーブルで電気接続して、本発明のバッテリー式表示施設照明灯を製造することができる。
製造したバッテリー式表示施設照明灯は、図２に示すように、ＬＥＤ照明器具を工事掲示板の上方に設置して使用される。表示施設として、工事掲示板、簡易工事掲示板、補助板、工事表示補助板、迂回案内板、工事案内板、規制案内板などを例示することができる。
【００１３】
【発明の効果】
本発明は、従来技術に比し、設置コストおよび設置時間が低下し、かつメンテナンスの手間が可能な限り少なくなるという、技術的効果を達成することができる。
【図面の簡単な説明】
【図１】本発明バッテリー式表示施設照明灯の一実施形態の構成を示すブロック図。
【図２】本発明バッテリー式表示施設照明灯の一実施形態の使用態様を示す模式図。
【符号の説明】
（１）：ＬＥＤ照明器具、（２）：ＬＥＤ透明部分、（３）：二芯ケーブル、（４）：バッテリー／電子基板用ボックス、（５）：バッテリー、（６）：電子基板、（７）：二芯ケーブル、（８）：昼夜センサー
【図１】
2005011636.tif 000003
【図２】
2005011636.tif 000004